(57)【要約】【課題】カードが装着された状態で上下逆向きにしてもカードの落下が防止されたカードアダプタを提供する。【解決手段】カードアダプタ１０には、ナノＳＩＭカード２０が装着される。そして、このカードアダプタ１０は、装着されたカード２０とともに、カード２０よりも寸法が大きいマイクロＳＩＭカードが差し込まれるカードコネクタに挿し込まれる。このカードアダプタ１０には、カード受容部１１と、板ばね１２と、カード保持部１３と、係止部１４が設けられている。板ばね１２は、カード２０を押し上げる。カード保持部１３はカード２０を押さえてその第１面２１の厚み方向の位置を決める。係止部１４は、装着されたカード２０の後端面２３に当接してカード２０を位置決めする。装着されカード２０を矢印Ｆとは逆向きに押すと、その係止が外れ、カード２０がカードアダプタ１０から取り外される。【選択図】図１
2018190010.tif 000002
【特許請求の範囲】
【請求項１】
第１面に接続パッドが形成された第１のカードが装着され、該第１のカードよりも寸法が大きい第２のカードが挿し込まれるカードコネクタに、装着された該第１のカードとともに挿し込まれるカードアダプタであって、
底面を有する窪み形状を有し、前記第１のカードの前記第１面に対する裏面である第２面を該底面側に対面させた姿勢に該第１のカードを受容するカード受容部と、
前記カード受容部に受容された前記第１のカードの前記第１面の、前記カードコネクタへの挿込みの向きとは交わる幅方向両側の縁部を押えるカード保持部と、
前記カード受容部に受容された前記第１のカードの前記挿込みの向きの後端に係止して該第１のカードを位置決めするとともに、該カード受容部に受容された状態の該第１のカードが該挿込みの向きとは逆向きに所定の力を越えた力で押されたときに係止が外れる係止部とを備えたことを特徴とするカードアダプタ。
【請求項２】
前記底面に設けられ、前記カード受容部に受容された前記第１のカードを該底面から持ち上げる向きに付勢する板ばねをさらに備えたことを特徴とする請求項１に記載のカードアダプタ。
【請求項３】
前記カード受容部の、前記挿込みの向きの前端壁の少なくとも一部が、前記底面からの高さが前記第１のカードの厚みよりも低い高さに形成されていることを特徴とする請求項１または２に記載のカードアダプタ。
【請求項４】
当該カードアダプタが、樹脂ハウジングと金属板とからなり、少なくとも前記係止部が該金属板の一部で形成されていることを特徴とする請求項１から３のうちのいずれか１項に記載のカードアダプタ。
【発明の詳細な説明】
【技術分野】
【０００１】
本発明は、カードが装着されて装着されたカードとともにカードコネクタに挿し込まれるカードアダプタに関する。
【背景技術】
【０００２】
マイクロＳＩＭ（Ｓｕｂｓｃｒｉｂｅｒ  Ｉｄｅｎｔｉｔｙ  Ｍｏｄｕｌｅ：加入者識別モジュール）カード（３ＦＦカード）とナノＳＩＭカード（４ＦＦカード）とを比べると、マイクロＳＩＭカードの方が寸法が大きい。ただし、接続パッドは同じ位置に設けられていて、その役割りも同様である。この場合、電子機器にはマイクロＳＩＭカード用のカードコネクタを搭載し、ナノＳＩＭカードを使いたいというユーザにも対応できることが望ましい。
【０００３】
従来、電子機器のメーカにより保証された使用法ではないものの、外形的にはマイクロＳＩＭカードの寸法を有し、ナノＳＩＭカードを載せるトレイ状の窪みが形成されたアダプタが使用されることがあった。従来のこのようなアダプタの場合、ナノＳＩＭカードは、その接続パッドが形成されている第１面を上に向けた姿勢でアダプタに載せられる。このアダプタを上下逆向きにすると、載せたナノＳＩＭカードが落下してしまう。一方、カードコネクタが搭載された電子機器の中には、ＳＩＭカードを、その第１面を下に向けた姿勢で着脱することが予定された電子機器も多い。そのような電子機器の場合、ナノＳＩＭカードを載せたアダプタをカードコネクタに着脱するにあたっては、電子機器の方を上下逆向きにする。このため、カードコネクタへのナノＳＩＭカードの着脱作業がやりにくいという問題がある。
【０００４】
ここで、特許文献１には、カードをガイドする保持片と、カードの左右の側面の凹部に係合する板ばねとを有するカード用アダプタが開示されている。この特許文献１のカード用アダプタの場合、左右の側面に凹部が設けられているカードでないと抜け止めをすることができない。
【先行技術文献】
【特許文献】
【０００５】
【特許文献１】特開２００９−１８１７９０号公報
【発明の概要】
【発明が解決しようとする課題】
【０００６】
本発明は、上記事情に鑑み、上下逆向きにしてもカードの落下が防止されたカードアダプタを提供することを目的とする。
【課題を解決するための手段】
【０００７】
上記目的を達成する本発明のカードアダプタは、
第１面に接続パッドが形成された第１のカードが装着され、第１のカードよりも寸法が大きい第２のカードが挿し込まれるカードコネクタに、装着された第１のカードとともに挿し込まれるカードアダプタであって、
底面を有する窪み形状を有し、第１のカードの第１面に対する裏面である第２面を底面に対面させた姿勢に第１のカードを受容するカード受容部と、
カード受容部に受容された第１のカードの第１面の、挿込みの向きとは交わる幅方向両側の縁部を押えるカード保持部と、
カード受容部に受容された第１のカードの挿込みの向きの後端に係止して第１のカードを位置決めするとともに、カード受容部に受容された状態の第１のカードが挿込みの向きとは逆向きに所定の力を越えた力で押されたときに係止が外れる係止部とを備えたことを特徴とする。
【０００８】
本発明のカードアダプタによれば、上記のカード保持部を備えているため、第１のカードが装着された状態のカードアダプタを上下逆向きにしても第１のカードの落下が防止される。さらに、本発明のカードアダプタによれば、上記の係止部により面内方向について位置決めがなされる。また、その第１のカードを所定の力を越えた力で押すことにより、その係止部による係止を外し、第１のカードをカードアダプタから取り外すことができる。
【０００９】
ここで、本発明のカードアダプタにおいて、底面に設けられ、カード受容部に受容された第１のカードを底面から持ち上げる向きに付勢する板ばねをさらに備えることが好ましい。
【００１０】
この板ばねを備えると、その板ばねとカード保持部とにより、装着された第１のカードが厚み方向に位置決めされる。
【００１１】
また、本発明のカードアダプタにおいて、カード受容部の、挿込みの向きの前端壁の少なくとも一部が、底面からの高さが第１のカードの厚みよりも低い高さに形成されていることが好ましい。
【００１２】
このような、前端壁が低いカードアダプタの場合、装着されている第１のカードの全端縁に爪や冶具等を掛けやすく、装着されている第１のカードの取外しが容易となる。
【００１３】
さらに、本発明のカードアダプタが、樹脂ハウジングと金属板とからなり、少なくとも係止部が金属板の一部で形成されていることが好ましい態様である。その場合に、さらに、カード保持部が、金属板の一部で形成されていることが好ましく、また、上記の板ばねを備えた構成の場合は、その板ばねが、金属板の一部で形成されていることも好ましい態様である。
【００１４】
このような金属板を備えると、厚み寸法を減じ、かつ強靭なカードアダプタが構成される。
【発明の効果】
【００１５】
以上の本発明によれば、上下逆向きにしてもカードの落下が防止されるカードアダプタを提供することができる。
【図面の簡単な説明】
【００１６】
【図１】本発明の一実施形態としてのカードアダプタの斜視図である。
【図２】図１に示した姿勢から裏返した姿勢のカードアダプタの斜視図（Ａ）と、図２（Ａ）の矢印Ａ−Ａに沿う断面図（Ｂ）である。
【図３】図１とは異なる向きから眺めたときのカードアダプタの斜視図（Ａ）と、図３（Ａ）の円Ｒの部分の拡大図（Ｂ）である。
【図４】カードアダプタへのナノＳＩＭカードの着脱の様子を示した模式図である。
【発明を実施するための形態】
【００１７】
以下、本発明の実施の形態について説明する。
【００１８】
図１は、本発明の一実施形態としてのカードアダプタの斜視図である。ここで、図１（Ａ）は、カードアダプタのみの斜視図である。また、図１（Ｂ）は、ナノＳＩＭカードが装着された状態のカードアダプタの斜視図である。
【００１９】
このカードアダプタ１０には、ナノＳＩＭカード２０が装着される。このナノＳＩＭカード２０の、図１（Ｂ）における上を向いた第１面２１には、複数の接続パッド２２が形成されている。これらの接続パッド２２は、不図示のカードコネクタに挿し込まれると、そのカードコネクタのコンタクトに接触する。そして、それらの接触パッド２２は、接触したコンタクトを介してカードコネクタが搭載された電子機器から電力の供給を受け、あるいは、電子機器との間で電気信号の受け渡しを行なう。
【００２０】
ここで、このカードアダプタ１０は、ナノＳＩＭカード２０よりも寸法が大きいマイクロＳＩＭカードの外形寸法と同じ外形寸法となっている。そして、このカードアダプタ１０は、ナノＳＩＭカード２０を装着したまま、マイクロＳＩＭカードに適合したカードコネクタに挿し込まれる。ここで、ナノＳＩＭカード２０は、本発明にいう第１のカードの一例に相当する。そして、マイクロＳＩＭカードは、本発明にいう第２のカードの一例に相当する。
【００２１】
このカードアダプタ１０は、ナノＳＩＭカード２０を受容するカード受容部１１を有する。このカード受容部１１は、底面１１１を有する窪み形状となっている。そして、このカード受容部１１には、ナノＳＩＭカード２０が、図１（Ｂ）に示す姿勢、すなわち、図１（Ｂ）にあらわれている第１面２１に対する裏面である第２面（不図示）を底面１１１に対面させた姿勢に受容される。
【００２２】
また、このカードアダプタ１０のカード受容部１１の底面１１１には、板ばね１２が設けられている。
【００２３】
図２は、図１に示した姿勢から裏返した姿勢のカードアダプタの斜視図（Ａ）と、図２（Ａ）の矢印Ａ−Ａに沿う断面図（Ｂ）である。
【００２４】
この図２には、ナノＳＩＭカード２０が装着された状態のカードアダプタ１０が示されている。
【００２５】
図２（Ｂ）に示すように、板ばね１２は、カード受容部１１の底面１１１から切り起こされた形状を有する。そして、この板ばね１２は、カード受容部１１に受容されたナノＳＩＭカード２０を、底面１１１から持ち上げる向き（図２（Ｂ）では右向き）に付勢する。
【００２６】
図１に戻って説明を続ける。
【００２７】
このカードアダプタ１０には、一対のカード保持部１３が設けられている。これらのカード保持部１３は、挿込みの向き（矢印Ｆの向き）と交わる幅方向両側からカード受容部１１の上に突き出るようにして、挿込みの向き（矢印Ｆの向き）に延びている。ただし、これらのカード保持部１３は、後述する、カードアダプタ１０へのナノＳＩＭカード２０の着脱を容易にするために、挿込みの向き（矢印Ｆの向き）の後端部までは延びておらず、ナノＳＩＭカード２０の後端部分はカード保持部１３から解放されている。
【００２８】
これらのカード保持部１３は、ナノＳＩＭカード２０がカード受容部１１に受容されて板ばね１２に持ち上げられると、ナノＳＩＭカード２０の第１面２１の幅方向両側の縁に当接する。これにより、厚めのナノＳＩＭカード２０あるいは薄めのナノＳＩＭカード２０のいずれであっても、その第１面２１の、ナノＳＩＭカード２０の厚み方向の位置は一義的に定まる。したがって、このナノＳＩＭカード２０を装着したカードアダプタ１０がカードコネクタに装着されたときのコンタクトと接触パッド２２との接触圧が一定となり、信頼度の高い電気的接続が実現する。
【００２９】
また、カード受容部１１に受容されたナノＳＩＭカード２０は、底面１１１の板ばね１２とカード保持部１３とで挟まれている。このため、カードアダプタ１０を図２に示すように上下逆向きにしても、ナノＳＩＭカード２０は、カードアダプタ１０と一体化された状態が保たれ、カードアダプタ１０から脱落しない。したがって、カードアダプタ１０の、カードコネクタへの挿込みが容易となる。
【００３０】
さらに、このカードアダプタ１０は、挿込みの向き（矢印Ｆの向き）の後端部に係止部１４が設けられている。
【００３１】
図３は、図１とは異なる向きから眺めたときのカードアダプタの斜視図（Ａ）と、図３（Ａ）の円Ｒの部分の拡大図（Ｂ）である。
【００３２】
係止部１４は、図３（Ｂ）に示すように、ナノＳＩＭカード２０の挿込みの向き（矢印Ｆの向き）の後端面２３に当接して、ナノＳＩＭカード２０を位置決めする役割を担っている。ここで、この係止部１４の、ナノＳＩＭカード２０の後端面２３側を向いた面は斜面１４１となっている。このカードアダプタ１０に装着されたナノＳＩＭカード２０をこのカードアダプタ１０から取り外すときには、後述するようにして、ナノＳＩＭカード２０を挿込みの向き（矢印Ｆの向き）とは逆向きに押す。係止部１４のナノＳＩＭカード２０側を向いた面が斜面１４１となっているのは、カード受容部１１に向かって挿込みの向き（矢印Ｆの向き）に進行してきたナノＳＩＭカード２０をカード受容部１１に滑り込ませるためである。また、この面が斜面１４１となっているのは、ナノＳＩＭカード２０の取外しの際に、ナノＳＩＭカード２０を係止部１４に乗り上げさせるためでもある。ナノＳＩＭカード２０の、カードアダプタ１０への着脱の詳細については後述する。
【００３３】
再度、図１に戻って説明を続ける。
【００３４】
このカードアダプタ１０には、カード受容部１１の、挿込みの向き（矢印Ｆの向き）の前端壁の一部に、低壁部１５が形成されている。この低壁部１５は、底面１１１からの高さがナノＳＩＭカード２０の厚みよりも低くなっている。このため、カードアダプタ１０に装着されたナノＳＩＭカード２０をカードアダプタ１０から取り外すにあたり、ナノＳＩＭカード２０の前端面２４を爪や冶具で容易に押すことができる。
【００３５】
ここで、このカードアダプタ１０は、樹脂ハウジング１０Ａと金属板１０Ｂとのインサート成形で構成されている。そして、底面１１１、板ばね１２、カード保持部１３、および係止部１４は、金属板１０Ｂの各一部で構成されている。係止部１４は、以下において説明するカードアダプタ１０へのナノＳＩＭカード２０の着脱のために金属板１０Ｂの一部で構成される。これに対し、底面１１１、板ばね１２、およびカード保持部１３は、樹脂ハウジング１０Ａと一体の樹脂製とすることも考えられる。ただし、カードアダプタ１０の全体の厚みを抑え、かつ、必要な強度を維持するためには、これら底面１１１、板ばね１２、およびカード保持部１３も金属板１０Ｂの各一部で構成することが好ましい。カードアダプタ１０をこのように構成すると、部品点数も最少となる。
【００３６】
図４は、カードアダプタへのナノＳＩＭカードの着脱の様子を示した模式図である。
【００３７】
カードアダプタ１０にナノＳＩＭカード２０を装着するにあたっては、図４（Ａ）に示すように、ナノＳＩＭカード２０の接触パッド２２が形成されている第１面２１に対する裏面である第２面を底面１１１側に向ける。さらに、図４（Ａ）に示すように、ナノＳＩＭカード２０の、挿込みの向き（矢印Ｆの向き）の先端を底面１１１に近づけた斜めの姿勢とする。そして、挿込みの向き（矢印Ｆの向き）の後方から矢印Ｘで示す向きにナノＳＩＭカード２０をスライドさせ、ナノＳＩＭカード２０を、カード保持部１３の下に滑り込ませるようにして、底面１１１上に配置する。こうすることにより、ナノＳＩＭカード２０がカード受容部１１に受容される。そして、カードアダプタ１０は、ナノＳＩＭカード２０を受容したまま、不図示の、マイクロＳＩＭカードが挿し込まれるカードコネクタに、マイクロＳＩＭカードに代えて差し込まれる。
【００３８】
次に、カードアダプタ１０に装着されているナノＳＩＭカード２０をカードアダプタ１０から取り外す場面について説明する。
【００３９】
このときには、カードアダプタ１０の低壁部１５の領域で、ナノＳＩＭカード２０の前端面２４を、所定の保持力を越える力で矢印Ｙの向きに押す。すると、ナノＳＩＭカード２０の後端面２３と係止部１４との係止が外れ、ナノＳＩＭカード２０の後端部が係止部１４の斜面１４１に沿って持ち上がりながら、ナノＳＩＭカード２０が矢印Ｚの向きに移動する。このようにして、ナノＳＩＭカード２０がカードアダプタ１０から取り外される。
【００４０】
なお、ここでは、本発明にいう第１のカードおよび第２のカードの各一例としてナノＳＩＭカード２０およびマイクロＳＩＭカードを取り上げて説明した。ただし、本発明は、外形寸法が異なり接続パッド配置位置や役割等が共通な２種類のカードのうちの寸法の小さい方のカードを装着するカードアダプタとして広く適用することができる。
【符号の説明】
【００４１】
１０    カードアダプタ
１０Ａ  樹脂ハウジング
１０Ｂ  金属板
１１    カード受容部
１１１  底面
１２    板ばね
１３    カード保持部
１４    係止部
１４１  斜面
１５    低壁部
２０    ナノＳＩＭカード
２１    第１面
２２    接続パッド
２３    後端面
２４    前端面
【図１】
2018190010.tif 000003
【図２】
2018190010.tif 000004
【図３】
2018190010.tif 000005
【図４】
2018190010.tif 000006